(57)【要約】【課題】コンデンサーに充電された電気によって機能を発揮する機能部に、電源投入時に短絡等の異常が発生しても、機能部に過大な電流が流れる不都合を低減できる電気機器及び電源制御方法を提供する。【解決手段】電気機器の一例としての複合機は、制限された電流で電気を供給する電源制御回路５４と、電源制御回路５４の下流に設けられたコンデンサー６３とを備える。さらに複合機は、コンデンサー６３に接続され、電源制御回路５４から供給された電気で機能を発揮する印刷ヘッドと、電源制御回路５４が供給した電圧を計測する検出回路９３と、電源制御回路５４を制御するコントローラー５０とを備える。コントローラー５０は、電源制御回路５４による電気の供給開始後に、検出回路９３で計測された電圧が正常電圧よりも小さい電圧で正常時よりも電圧の上昇が抑制された場合に異常とする。【選択図】図５
2017010405.tif 000002
【特許請求の範囲】
【請求項１】
制限された電流で電気を供給する電源制御回路と、
前記電源制御回路の下流に設けられたコンデンサーと、
前記コンデンサーに接続され、前記電源制御回路から供給された電気で機能を発揮する機能部と、
前記電源制御回路が供給した電気の電圧を計測する計測回路と、
前記電源制御回路の電気供給開始後に、前記計測回路で計測された電圧が正常電圧よりも小さい電圧で正常時よりも電圧の上昇が抑制された場合に異常とする制御部と
を備えたことを特徴とする電気機器。
【請求項２】
前記制御部は、前記計測回路で計測された電圧が閾値以下の値をとる状態が待機時間に亘って継続すると、異常とすることを特徴とする請求項１に記載の電気機器。
【請求項３】
前記計測回路は、前記電源制御回路と前記コンデンサーとを接続する配線の電圧を分圧して前記電圧に比例する計測電圧を計測し、
前記計測電圧と前記閾値とを比較して比較結果を出力する比較器を更に備え、
前記制御部は、前記比較器から前記計測電圧が閾値以下である旨の出力信号を入力したまま前記待機時間を経過すると、異常とすることを特徴とする請求項２に記載の電気機器。
【請求項４】
前記制御部は、電気供給開始後の閾値時間以内に、前記計測回路で計測された電圧の立ち上がり勾配が勾配閾値以下であると、異常とすることを特徴とする請求項１に記載の電気機器。
【請求項５】
前記制御部は、異常のときには、前記電源制御回路による電気の供給を停止させることを特徴とする請求項１乃至４のいずれか一項に記載の電気機器。
【請求項６】
前記電源制御回路は電流を制限して電気を供給する第１制御回路と、電流を制限せずに電気を供給する第２制御回路とを備え、
前記制御部は、異常でないときは、前記電源制御回路における電気の供給元を前記第１制御回路から前記第２制御回路に切り換えることを特徴とする請求項１乃至５のいずれか一項に記載の電気機器。
【請求項７】
前記コンデンサーは、前記機能部ごとに設けられ、
前記制御部は、前記電源制御回路からの電気の供給先である前記機能部の数に応じて前記待機時間を変更することを特徴とする請求項２又は３に記載の電気機器。
【請求項８】
前記電源制御回路は、前記制限された電流を供給する配線に設けられた制限抵抗を備え、
前記電源制御回路と前記コンデンサーとの間に接続された定格電流のヒューズを更に備え、
前記制限抵抗は、前記ヒューズを流れる電流を当該ヒューズの定格電流以下に抑えうる抵抗値に設定されている請求項２乃至７のいずれか一項に記載の電気機器。
【請求項９】
前記制限抵抗は、前記ヒューズの前記定格電流よりも大きな電流を供給可能な抵抗値を有することを特徴とする請求項８に記載の電気機器。
【請求項１０】
前記待機時間は、前記ヒューズに前記制限された電流を流して前記コンデンサーを零から充電し終わるまでに要する所要時間よりも短い値に設定されていることを特徴とする請求項９に記載の電気機器。
【請求項１１】
制限された電流で電気を供給可能な電源制御回路の下流に設けられたコンデンサーに接続され、前記電源制御回路から供給された電気で機能を発揮する機能部に対して、電流を制限して前記電源制御回路が電気を供給する電気供給ステップと、
前記電源制御回路から前記機能部への電気の供給開始の初期に、当該電気が前記コンデンサーに充電される電圧を計測する計測ステップと、
前記計測された電圧が正常電圧よりも小さい電圧で正常時よりも電圧の上昇が抑制された場合に異常とし、前記正常時よりも電圧の上昇が抑制されていない場合は正常とする検出ステップと、
前記正常の場合は、前記電源制御回路から前記機能部へ電流値を制限せずに電気を供給し、前記異常の場合は、前記電源制御回路から前記機能部への電気の供給を停止させる制御ステップと
を備えたことを特徴とする電源制御方法。
【発明の詳細な説明】
【技術分野】
【０００１】
本発明は、電源からの電気を充電可能なコンデンサーと電気的に接続された機能部への電気の供給を制御する電気機器及び電源制御方法に関する。
【背景技術】
【０００２】
従来から、電源回路から供給された電気を充電するコンデンサーと、コンデンサーと接続され、電源回路から供給された電気で機能を発揮する機能部とを備える電気機器が知られている。例えば、この種の電気機器としての印刷装置は、印刷ヘッド及びその制御回路、あるいは用紙等の媒体を搬送する搬送モーター及びその制御回路等を、機能部として備える。印刷ヘッドや電動モーターは、例えば数１０Ｖの比較的高い電圧で駆動される。このため、電源回路の下流側に設けたコンデンサーを充電し、機能部に必要な電圧を安定に供給する。
【０００３】
ところで、短絡が発生すると、機能部に過度な電流が流れ、過熱さらには故障等が危惧される。従来、この種の短絡を検出して電気の供給を遮断する回路が知られている（例えば特許文献１、２）。
【０００４】
例えば特許文献１に記載された安定化電源回路は、出力端子の電位を監視して短絡状態を検出する短絡検出回路と、短絡状態を検出した際に出力を遮断する遮断回路と、出力遮断状態を維持するフリップフロップ回路と、電源投入時にフリップフロップ回路をリセットするイニシャルリセット回路とを備える。
【０００５】
また、例えば特許文献２には、負荷が何らかの異常で短絡した場合、パワースイッチング素子をオフさせて、負荷電流からパワースイッチング素子を保護する短絡保護回路が開示されている。
【先行技術文献】
【特許文献】
【０００６】
【特許文献１】特開平７−１０４８７１号公報
【特許文献２】特開平４−２３６１２２号公報
【発明の概要】
【発明が解決しようとする課題】
【０００７】
ところで、引用文献１、２に記載の電源回路は、電気機器の動作中の短絡を検出するものであって、電源投入時の短絡を検出するものではなかった。さらに、これらの電源回路は、電源から供給された電気でコンデンサーを充電する構成でもなかった。
【０００８】
例えば工場等では、電源を投入して電気機器を実際に動作させる出荷前検査が行われる。検査時に例えばコネクターを斜めに挿す等の組み立て不良が原因で短絡すると、機能部の制御系又は駆動系の回路に過度な電流が流れ、機能部の回路にダメージを与える。このとき、ダメージの程度によっては、機能部を構成する回路基板を交換する必要がある。一例として、機能部の回路基板にヒューズが実装されている場合、短絡時の過度な電流によってヒューズが溶断すると、回路基板の修理又は交換が必要になる。
【０００９】
例えばコネクターの接続ミスが短絡の原因である場合、コネクターを挿し直せば、短絡の原因は解消されるものの、既にヒューズが溶断するなどのダメージを回路が受けていると、回路基板の修理又は交換が必要になるという課題がある。なお、この種の課題は、印刷装置に限らず、画像読取装置、インクジェット式成形装置等の電気機器において、概ね共通する。また、出荷後にユーザーが電気機器の電源を投入したときでも、回路基板が短絡に起因するダメージを受けると、回路基板の修理又は交換が必要になってしまう。
【００１０】
本発明の目的は、コンデンサーに充電された電気によって機能を発揮する機能部に、電源投入時に短絡等の異常が発生しても、機能部に過大な電流が流れる不都合を低減できる電気機器及び電源制御方法を提供することにある。
【課題を解決するための手段】
【００１１】
以下、上記課題を解決するための手段及びその作用効果について記載する。
上記課題を解決する電気機器は、制限された電流で電気を供給する電源制御回路と、前記電源制御回路の下流に設けられたコンデンサーと、前記コンデンサーに接続され、前記電源制御回路から供給された電気で機能を発揮する機能部と、前記電源制御回路が供給した電気の電圧を計測する計測回路と、前記電源制御回路の電気供給開始後に、前記計測回路で計測された電圧が正常電圧よりも小さい電圧で正常時よりも電圧の上昇が抑制された場合に異常とする制御部とを備えている。
【００１２】
この構成によれば、制御部は、電源制御回路の電気供給開始後に、計測回路で計測された電圧が、正常電圧よりも小さい電圧で正常時よりも電圧の上昇が抑制された場合に、異常とする。そして、制御部は、異常時に電気の供給を停止するので、短絡等の異常時に電源制御回路の電気供給先である機能部に過度な電流が流れることを回避できる。
【００１３】
上記電気機器では、前記制御部は、前記計測回路で計測された電圧が閾値以下の値をとる状態が待機時間に亘って継続すると、異常とすることが好ましい。
この構成によれば、制御部は、計測回路で計測された電圧が閾値以下の状態が待機時間に亘って継続すると、異常とする。例えば電気供給開始直後の早過ぎるタイミングで電圧を計測したばかりに電圧が閾値以下であった場合、電気供給が正常であるにも拘らず異常とされる検出ミスが発生する虞がある。しかし、電圧が閾値以下の状態が待機時間継続したことが条件なので、異常を正しく検出することができる。
【００１４】
上記電気機器では、前記計測回路は、前記電源制御回路と前記コンデンサーとを接続する配線の電圧を分圧して前記電圧に比例する計測電圧を計測し、前記計測電圧と前記閾値とを比較して比較結果を出力する比較器を更に備え、前記制御部は、前記比較器から前記計測電圧が閾値以下である旨の出力信号を入力したまま前記待機時間を経過すると、異常とすることが好ましい。
【００１５】
この構成によれば、計測回路により計測された機能部へ供給される電圧と閾値とが比較器によって比較され、比較器からその比較結果に応じた信号値の検出信号が出力される。制御部は、比較器から入力した検出信号の信号値から、計測電圧が閾値を超えたか否かを比較的簡単に判定することができる。そして、制御部は、計測電圧が閾値以下のまま待機時間を経過すると、異常とする。よって、異常を正しく検出することができる。
【００１６】
上記電気機器では、前記制御部は、電気供給開始後の閾値時間以内に、前記計測回路で計測された電圧の立ち上がり勾配が勾配閾値以下であると、異常とすることが好ましい。
この構成によれば、制御部は、電気供給開始後の閾値時間以内に、計測回路で計測された電圧の立ち上がり勾配が勾配閾値以下であると、異常とする。そして、制御部は、短絡等の異常時に電気の供給を停止するので、短絡等が原因で電源制御回路からの電気の供給先に過度な電流が流れることを回避することができる。
【００１７】
上記電気機器では、前記制御部は、異常のときには、前記電源制御回路による電気の供給を停止させることが好ましい。
この構成によれば、制御部は、異常のときには、電源制御回路による電気の供給を停止させる。よって、短絡等の異常が原因で電源制御回路からの電気の供給先に電流が流れ続けることを回避できる。従って、電源制御回路からの電気の供給先に電流が流れ続けることに起因する不都合（例えばヒューズの溶断等）を一層回避し易くすることができる。
【００１８】
上記電気機器では、前記電源制御回路は電流を制限して電気を供給する第１制御回路と、電流を制限せずに電気を供給する第２制御回路とを備え、前記制御部は、異常でないときは、前記電源制御回路における電気の供給元を前記第１制御回路から前記第２制御回路に切り換えることが好ましい。
【００１９】
この構成によれば、短絡等の異常でなければ、電源制御回路からの電気の供給元が、第１制御回路から第２制御回路へ切り換えられる。よって、短絡等の異常ではない正常時は第１制御回路から第２制御回路への切り換えによって、電気の供給時に制限されていない電流が流れることで、コンデンサーに速やかに規定容量の電荷が蓄えられるため、電源制御回路からの電気の供給先に安定に電力を供給することができる。
【００２０】
上記電気機器では、前記コンデンサーは、前記機能部ごとに設けられ、前記制御部は、前記電源制御回路からの電気の供給先である前記機能部の数に応じて前記待機時間を変更することが好ましい。
【００２１】
この構成によれば、電源制御回路からの電気の供給先である機能部の数に応じて待機時間を変更する。よって、比較的早期に短絡等の異常を適切に検出することができる。
上記電気機器では、前記電源制御回路は、前記制限された電流を供給する配線に設けられた制限抵抗を備え、前記電源制御回路と前記コンデンサーとの間に接続された定格電流のヒューズを更に備え、前記制限抵抗は、前記ヒューズを流れる電流を当該ヒューズの定格電流以下に抑える抵抗値に設定されていることが好ましい。
【００２２】
この構成によれば、制限抵抗に設定された抵抗値は、電源制御回路とコンデンサーとの間に接続された定格電流のヒューズを流れる電流を当該ヒューズの定格電流以下に抑えうる抵抗値に設定されているから、仮に短絡等の異常発生時に、待機時間に亘り制限された電流が流れても、ヒューズが溶断しないばかりかヒューズに与えられるダメージを小さく抑えることができる。この結果、機能部に過電流によるダメージを与えにくい。
【００２３】
上記電気機器では、前記制限抵抗は、前記ヒューズの前記定格電流よりも大きな電流を供給可能な抵抗値を有することが好ましい。
この構成によれば、制限抵抗を介してヒューズの定格電流よりも大きな電流でコンデンサーを比較的速やかに充電することができる。
【００２４】
上記電気機器では、前記待機時間は、前記ヒューズに前記制限された電流を流して前記コンデンサーを零から充電し終わるまでに要する所要時間よりも短い値に設定されていることが好ましい。
【００２５】
この構成によれば、待機時間は、制限された電流を流してコンデンサーを充電しうる所要時間よりも短い値に設定されているので、ヒューズの溶断ばかりかヒューズに与えるダメージを小さく抑えることができる。
【００２６】
上記課題を解決する電源制御方法は、制限された電流で電気を供給可能な電源制御回路の下流に設けられたコンデンサーに接続され、前記電源制御回路から供給された電気で機能を発揮する機能部に対して、電流を制限して前記電源制御回路が電気を供給する電気供給ステップと、前記電源制御回路から前記機能部への電気の供給開始の初期に、当該電気が前記コンデンサーに充電される電圧を計測する計測ステップと、前記計測された電圧が正常電圧よりも小さい電圧で正常時よりも電圧の上昇が抑制された場合に異常とし、前記正常時よりも電圧の上昇が抑制されていない場合は正常とする検出ステップと、前記正常の場合は、前記電源制御回路から前記機能部へ電流値を制限せずに電気を供給し、前記異常の場合は、前記電源制御回路から前記機能部への電気の供給を停止させる制御ステップとを備えている。この方法によれば、上記電気機器と同様の作用効果が得られる。
【図面の簡単な説明】
【００２７】
【図１】第１実施形態における複合機を示す斜視図。
【図２】駆動信号を示すグラフ。
【図３】複合機の主に印刷系の電気的構成を示すブロック図。
【図４】ヘッド制御回路及びヘッドユニットの電気的構成を示すブロック図。
【図５】電源制御回路を示す回路図。
【図６】正常時における電源投入時の供給電圧と各信号との対応関係を示す図。
【図７】異常時における電源投入時の供給電圧と各信号との対応関係を示す図。
【図８】電源制御処理を示すフローチャート。
【図９】第２実施形態における電源制御回路の一部を示す回路図。
【発明を実施するための形態】
【００２８】
（第１実施形態）
以下、電気機器の第１実施形態を、図面を参照して説明する。
図１に示すように、電気機器の一例としての複合機１１は、印刷、スキャン及びコピーを含む複数の機能を備える。複合機１１は、用紙等の媒体Ｐに印刷する印刷装置２１と、印刷装置２１の鉛直方向Ｚ上側に配置された画像読取装置３１（スキャナー装置）とを備える。複合機１１の装置本体１２の上部に配置された操作パネル１３には、メニュー画面や各種のメッセージ等が表示される表示部１４及び操作スイッチ等からなる操作部１５が設けられている。
【００２９】
装置本体１２の下部には、複数枚の媒体Ｐが収容されたカセット２２が着脱可能に挿着されており、印刷装置２１はカセット２２から給送された媒体Ｐに印刷を施す。印刷後の媒体Ｐは装置本体１２の排出口２３を通ってスタッカー２４上に排出される。
【００３０】
画像読取装置３１は、原稿を定置可能なフラットベッド型の原稿台３２を上部に有する装置本体３３と、原稿台３２に対して開閉可能に設けられた原稿台カバー３４とを備える。原稿台カバー３４の背面部には、自動原稿搬送部３５が装備されている。自動原稿搬送部３５は、複数枚の原稿Ｄをセット可能なトレイ３６と、トレイ３６上の原稿Ｄを一枚ずつ搬送する搬送機構部３７とを備える。原稿台３２の下方には、原稿台３２のガラス面に沿って所定方向に走査される読取部３８（図３参照）が設けられている。ユーザーにより原稿台３２上にセットされた原稿Ｄは、所定方向に走査される読取部３８によって読み取られる。また、搬送機構部３７によって搬送された原稿Ｄは、所定の読取位置に停止した読取部３８によって読み取られる。こうして原稿Ｄのスキャンは行われる。読取部３８は、密着型（ＣＩＳ（Contact Image Sensor））又はＣＣＤ（Charge Coupled Device）型のイメージセンサーを備える。なお、コピーは、画像読取装置３１が読み取った原稿Ｄの画像を、印刷装置２１が媒体Ｐに印刷することにより行われる。
【００３１】
次に、複合機の電気的構成について説明する。
図３に示す印刷装置２１は、例えばラインプリンターであり、印刷を行うラインヘッド型のヘッドユニット４１を備える。ヘッドユニット４１は、例えばマルチヘッドタイプであって、媒体Ｐの搬送方向Ｙと交差（特に直交）する幅方向Ｗに媒体Ｐの想定最大幅全域に亘って印刷が可能な所定の配置パターンで配列された複数の印刷ヘッド４２を備える。例えば図３に示すように幅方向Ｗに沿って配列された２列の印刷ヘッド４２が列間で幅方向Ｗに半ピッチずれたジグザグ状に配置されている。印刷ヘッド４２は、複数のノズルが一定ピッチで配列されてなるノズル列Ｎを、インク色（例えばシアン、マゼンタ、イエロー、黒）と同数（図３の例では４列）有している。
【００３２】
図３に示すように、ヘッドユニット４１と対向する下方位置には、媒体Ｐを搬送可能なベルト搬送方式の搬送機構４３が配設されている。搬送機構４３は、搬送方向Ｙに所定の間隔を離して対峙する一対のローラー４４，４５と、両ローラー４４，４５に巻き掛けられた無端状の搬送ベルト４６とを備える。一方のローラー４４が搬送モーター４７の動力で回転することで、搬送ベルト４６上の媒体Ｐは搬送方向Ｙへ搬送される。ローラー４４と搬送ベルト４６を挟んで対向する上側には搬送ベルト４６と接触して連れ回りが可能な従動ローラー４８が配置されている。また、ローラー４４の軸にはロータリーエンコーダー４９が設けられている。ロータリーエンコーダー４９は、ローラー４４の回転量、つまり搬送ベルト４６の搬送量に比例する数のパルスを含むエンコーダー信号を出力する。なお、搬送モーター４７とローラー４４との間に減速機構を設けてもよい。
【００３３】
図３に示すように、複合機１１は、印刷装置２１及び画像読取装置３１の制御を司る制御部の一例としてのコントローラー５０と、コントローラー５０が例えばホスト装置（図示略）から入力した印刷データＰＤに基づき生成したヘッド制御データＨＤに基づいて印刷ヘッド４２を制御するヘッド制御回路５１とを備える。ヘッド制御回路５１は、ヘッド制御データＨＤを印刷ヘッド４２ごとの吐出データＳＩに分配して各印刷ヘッド４２に出力する機能と、印刷ヘッド４２のノズルごとに設けられた不図示の吐出駆動素子に印加するべき駆動信号を各印刷ヘッド４２に出力する機能とを有する。そして、各印刷ヘッド４２は、ヘッド制御回路５１から与えられた駆動信号中の複数種の駆動波形のうち吐出データＳＩに基づき選択された１種の駆動波形を吐出駆動素子に印加することでノズルからインク滴を吐出させる。このとき、コントローラー５０は、ロータリーエンコーダー４９から入力したエンコーダー信号のパルス周期を逓倍して生成した印刷タイミング信号に基づき各印刷ヘッド４２の吐出タイミングを制御する。
【００３４】
また、図３に示すコントローラー５０は、搬送モーター４７を速度制御することで、搬送ベルト４６上の媒体Ｐを印刷モードに応じた一定速度で搬送させる搬送制御を行う。そして、一定速度で搬送される媒体Ｐに向かって、印刷ヘッド４２のノズルからインク滴が吐出されることで、媒体Ｐに印刷データＰＤに基づく画像又は文書が印刷される。
【００３５】
また、図３に示すように、複合機１１は、交流電源５２から入力した交流をＡＣ／ＤＣ変換して複合機１１が必要とする複数種の直流の電圧Ｖ１，Ｖ２，Ｖ３を生成する電源回路５３を備える。一例として、電圧Ｖ１は４２Ｖ、電圧Ｖ２は２４Ｖ、電圧Ｖ３は３．３Ｖである（Ｖ１＞Ｖ２＞Ｖ３）。電圧Ｖ１は、複合機１１の電気系部品のうち比較的高電圧を必要とする印刷ヘッド４２の駆動電圧に用いられる。また、電圧Ｖ２は、搬送モーター４７等の電動モーターの駆動電圧に用いられる。さらに電圧Ｖ３は、コントローラー５０内のコンピューター等の駆動電圧に用いられる。
【００３６】
図３に示すように、本実施形態では、電源回路５３とヘッド制御回路５１との間には、ヘッド制御回路５１への電圧Ｖ１の電力の供給を制御する電源制御回路５４が設けられている。電源制御回路５４は、コントローラー５０の指示で、ヘッド制御回路５１への電圧Ｖ１の電力の供給とその供給の停止とを制御する。コントローラー５０は、電源投入時に電源制御回路５４にヘッド制御回路５１への電力の供給を電流値制限の下で開始させ、電力供給開始時点から電源制御回路５４を介してヘッド制御回路５１の供給電圧Ｖｒを所定時間（例えば１秒）監視する。そして、コントローラー５０は、監視の結果、電力の供給が正常であれば、電源制御回路５４を電流値制限モードから電流制限をしない通常モードに切り替える。一方、監視の結果、電力供給開始に伴う電圧の立ち上がり過程で短絡等の異常を検出すると、ヘッド制御回路５１への電力供給を停止させる。なお、電源制御回路５４を制御する主体は、印刷ヘッド４２を制御するコントローラー５０とは切り離した電源制御専用の制御部であってもよい。
【００３７】
また、図３に示すように、画像読取装置３１は、読取部３８と、読取部３８を所定方向に走査させる走査用の電動モーター３９及び搬送機構部３７の動力源となる電動モーター４０等を備える。読取部３８は、光源とイメージセンサーとを備え、光源から原稿Ｄに照射された光の反射光の像を受光することで原稿Ｄを読み取る。コントローラー５０は、スキャナー制御回路５５を介して画像読取装置３１を制御する。本実施形態では、画像読取装置３１についても、印刷装置２１と同様の電源制御回路５４を設けている。そして、コントローラー５０は電源投入時に電源制御回路５４を制御して画像読取装置３１への電力供給を電流値制限の下で開始し、その電力供給開始後における供給電圧Ｖｒの監視の結果、短絡等の異常を検出すると、画像読取装置３１への電力供給を停止させる。なお、本実施形態では、ヘッド制御回路５１及び印刷ヘッド４２により、電源制御回路５４から供給された電気で印刷機能を発揮する機能部の一例が構成される。さらにスキャナー制御回路５５及び電動モーター３９，４０により、読取機能を発揮する機能部の一例が構成される。
【００３８】
次に図４を参照してヘッド制御回路５１及び印刷ヘッド４２について説明する。図４に示すヘッド制御回路５１が形成されたヘッド制御基板６０は、コントローラー５０と信号線１０１を介して接続されている。また、ヘッド制御基板６０（ヘッド制御回路５１）は、電源制御回路５４が形成された基板５４Ｓ（図５参照）と電源線１０２を介して接続されている。
【００３９】
ヘッド制御回路５１は、入力したヘッド制御データＨＤを印刷ヘッド４２ごとの吐出データＳＩに分配する分配器６１と、Ｎ個の印刷ヘッド４２をそれぞれ駆動制御する第１〜第Ｎヘッド駆動制御回路５１１〜５１Ｎとを備える。さらに、ヘッド制御回路５１は、電源線１０２と接続された電源用配線１０３の途中に介装されたヒューズ６２と、電源制御回路５４とヒューズ６２を介して接続されたコンデンサー６３とを備える。コンデンサー６３はその正極端子が電源用配線１０３を通じて駆動信号生成回路６５に接続され、その負極端子が接地された状態にある。コンデンサー６３は、電源制御回路５４から電源線１０２を介して供給され、電源用配線１０３を流れる電流によって充電される。コンデンサー６３が電圧Ｖ１に充電されることで、駆動信号生成回路６５に電圧Ｖ１が安定に供給される。本実施形態では、コンデンサー６３は、ヘッド駆動制御回路５１１〜５１Ｎの１つと印刷ヘッド４２の１つとによりなる機能部の１つごとに１個ずつ設けられている。
【００４０】
各ヘッド駆動制御回路５１１〜５１Ｎは基本的に同じ構成であるため、以下では、そのうちの１つの第１ヘッド駆動制御回路５１１の構成を説明する。第１ヘッド駆動制御回路５１１は、分配器６１から吐出データＳＩを入力するデータ処理回路６４と、印刷ヘッド４２のノズルに対応する吐出駆動素子７４に印加する駆動信号を生成する駆動信号生成回路６５を備える。データ処理回路６４は、入力した吐出データＳＩをノズル一列分ずつ後述する印刷周期ＴＡ毎のタイミングで印刷ヘッド４２内のヘッド駆動回路７１へ転送する。吐出データＳＩは、１画素（ドット）当たり例えば２ビットで表される画素情報を含む。
【００４１】
駆動信号生成回路６５は、波形信号生成回路６６、ヒューズ６７及び基準電圧生成回路６８を備える。波形信号生成回路６６は、電源電圧Ｖ１を用いて印刷モードに応じた複数種の駆動波形（駆動パルス）を含む駆動信号を生成する。基準電圧生成回路６８は、電源電圧Ｖ１を入力して、駆動信号の駆動波形を生成する際の基準となる基準電圧Ｖｓ（例えば１〜１０Ｖの範囲内の所定値）を生成する。波形信号生成回路６６は、生成した波形信号と、基準電圧生成回路６８が生成した基準電圧Ｖｓとに基づいて駆動信号を生成する。基準電圧生成回路６８は、その内部のＤＡＣ６９（Digital Analog Converter）を介してアナログの駆動信号を出力する。図４の例では、波形信号生成回路６６は、２種類の駆動信号ＣＯＭＡ，ＣＯＭＢを生成して出力する。なお、波形信号生成回路６６は、駆動信号ＣＯＭＡを生成する第１波形信号生成回路と、駆動信号ＣＯＭＢを生成する第２波形信号生成回路とを内蔵する構成では、第１波形信号生成回路に接続されたコンデンサー６３と、第２波形信号生成回路に接続されたコンデンサー６３とを別々に設けてもよい。この場合、コンデンサー６３は、ヘッド駆動制御回路５１１〜５１Ｎの１つと印刷ヘッド４２の１つとによりなる機能部の１つごとに２個ずつ設けられ、印刷ヘッド４２の個数の２倍の数だけ設けられる。
【００４２】
波形信号生成回路６６と基準電圧生成回路６８との間の配線の途中にはヒューズ６７が設けられ、短絡時にはヒューズ６７の溶断によって基準電圧生成回路６８は過度な電流から保護される。ヒューズ６２，６７は、電源電圧Ｖ１が印加されたときに保護するべき回路６６，６８に許容される電流値に応じた定格電流のものが使用される。本例ではヒューズ６２の定格電流は、ヒューズ６７の定格電流よりも大きい。ヒューズ６２の定格電流は、例えば０．８〜１．５Ａの範囲内の値（一例として１Ａ）に設定され、ヒューズ６７の定格電流は、例えば０．３〜０．７Ａの範囲内の値（一例として０．５Ａ）に設定されている。なお、本例のヘッド制御基板６０では、複数のコンデンサー６３、複数のヒューズ６２，６７は、基板上の所定エリアに部品毎に集められて実装されている。
【００４３】
図４に示すように、ヘッドユニット４１を構成する複数の印刷ヘッド４２は、ヘッド駆動回路７１を内蔵する。ヘッド駆動回路７１は、データ処理回路６４から入力した吐出データＳＩに基づき選択データを生成する選択回路７２と、駆動信号生成回路６５から入力した駆動信号ＣＯＭＡ，ＣＯＭＢに含まれる複数種の駆動パルスのうち選択データに基づき選択した１種を吐出駆動素子７４に印加するスイッチ回路７３とを備える。
【００４４】
ここで、図２を参照して、駆動信号生成回路６５が生成する駆動信号について説明する。駆動信号生成回路６５は、印刷ヘッド４２がインク滴を１回吐出する周期である図２に示す印刷周期ＴＡの期間に、二種類の駆動信号ＣＯＭＡ，ＣＯＭＢを同時に生成して並列に出力する。駆動信号ＣＯＭＡは、印刷周期ＴＡの期間に第１駆動パルスＷ１を含む。また、駆動信号ＣＯＭＢは、印刷周期ＴＡの期間に時系列の順番に、第２駆動パルスＷ２、第３駆動パルスＷ３及び第４駆動パルスＷ４を含む。基準電圧生成回路６８により生成される基準電圧Ｖｓにより、各駆動パルスＷ１〜Ｗ４の最低電圧値が規定される。二種類の駆動信号ＣＯＭＡ，ＣＯＭＢは、図４に示す波形信号生成回路６６からＤＡＣ６９を介してヘッドユニット４１内のスイッチ回路７３に印刷周期ＴＡ毎に転送される。
【００４５】
吐出データＳＩに含まれる２ビットの画素情報は、非吐出（微振動）が「００」、小ドットが「０１」、中ドットが「１０」、大ドットが「１１」で与えられる。これらの２ビットの画素情報は、第１〜第４駆動パルスＷ１〜Ｗ４と対応付けされており、図２の例では、第１駆動パルスＷ１が大ドット（１１）、第２駆動パルスＷ２が小ドット（０１）、第３駆動パルスＷ３が非吐出（００）、第４駆動パルスＷ４が中ドット（１０）にそれぞれ対応付けされている。非吐出の場合はノズル目詰まりの防止を目的としてインクを吐出させない程度の微振動がインクに与えられる。選択回路７２は、吐出データＳＩの画素情報に応じた駆動パルスをスイッチ回路７３が選択する際に用いる選択データを生成する。スイッチ回路７３は、図２に示す駆動信号ＣＯＭＡ，ＣＯＭＢに４種含まれる第１〜第４駆動パルスＷ１〜Ｗ４のうち選択回路７２から入力した選択データに基づき選択した１種を吐出駆動素子７４に印加する。これにより印刷ヘッド４２のノズルからは吐出駆動素子７４に印加された駆動パルスの種類に応じたサイズのインク滴が吐出される。なお、ノズルから吐出可能なインク滴のサイズは、３種類を含む複数種に限定されることなく、例えば１種類でもよい。
【００４６】
次に図５を参照して、コントローラー５０及び電源制御回路５４の詳細な構成を説明する。図５に示すように、コントローラー５０は、コンピューター８１及び例えば不揮発性メモリーからなるメモリー８２を内蔵する。メモリー８２には、図８にフローチャートで示されるプログラムＰＲが記憶されている。図５では、プログラムＰＲを実行するコンピューター８１内にソフトウェアとして構築される複数の機能構成部分をブロックで示している。すなわち、コンピューター８１は、その機能構成部分として、制御部８３、タイマー８４及び判定部８５を備える。また、コンピューター８１は、電源制御回路５４から入力したアナログの検出信号Ｓｄをデジタル信号に変換するＡ／Ｄ変換器８６を有する。
【００４７】
図５に示すように、電源制御回路５４は、第１制御回路９１、第２制御回路９２及び検出回路９３を備える。コントローラー５０は、電源投入時の初期は第１制御回路９１を選択して電流値を制限する状態で電源電圧Ｖ１の電力を供給しつつ短絡等の異常を監視し、その監視モードでの監視の結果、異常があれば電力供給を強制的に停止し、一方、異常がなければ、第１制御回路９１から第２制御回路９２に切り換えて電力供給を継続する。
【００４８】
第１制御回路９１は、コントローラー５０からの第１制御信号Ｓａにより制御され、ヘッド制御回路５１に対する電源回路５３から供給された電源電圧Ｖ１の電力の供給及びその供給の停止を制御する。第１制御回路９１は、その出力段の配線１２４上に電流値を制限する制限抵抗ＲＬを有する。そして、第１制御回路９１は、制限抵抗ＲＬによって配線１２４を流れる電流値が制限された状態の下で、ヘッド制御回路５１へ電力を供給する。このため、電源投入時に、ヘッド制御回路５１の欠陥や電源線１０２のコネクターの接続不良に起因して短絡が発生しても、ヘッド制御回路５１内のヒューズ６２を流れる電流は制限される。
【００４９】
電源投入時には、コンデンサー６３は比較的ゆっくり充電され、コンデンサー６３の正極端子の電位に等しい供給電圧Ｖｒは比較的ゆっくり上昇する。そして、第１制御回路９１による電力供給時間は最長で待機時間Ｔｗに制限されている。このため、短絡時は、電流値が制限されるうえ、通電時間が待機時間Ｔｗに制限されるので、ヒューズ６２へのダメージは極めて少ない。
【００５０】
本実施形態の複合機１１は、想定される最大媒体サイズが相対的に小さなサイズ（例えばＡ４判）である第１の機種と、相対的に大きなサイズ（例えばＡ３判）である第２の機種とがある。そして、第１の機種では、最大媒体サイズから決まる印刷ヘッド４２の個数及びコンデンサー６３の個数が、第２の機種におけるこれらの個数よりも少なくなっている。そして、機種ごとに異なる印刷ヘッド４２の個数又はコンデンサー６３の個数に応じて、待機時間Ｔｗを変更するようにしている。
【００５１】
図５に示すように、第１制御回路９１においてコントローラー５０からの信号線１１１と接続された第１配線１２１はその途中に設けられた分圧用の第１抵抗Ｒ１を介してＦＥＴ９５のゲート端子に接続されている。第１抵抗Ｒ１とゲート端子との間の箇所と、電源回路５３からの電源線１１４と接続された電源線１２２のＦＥＴ９５のソース端子側の箇所との間を接続する第２配線１２３の途中には分圧用の第２抵抗Ｒ２が設けられている。また、第１配線１２１と第２配線１２３との間には、それぞれ第１抵抗Ｒ１と第２抵抗Ｒ２よりも下流側の箇所にコンデンサーＣ１が接続されている。コンデンサーＣ１は、第１制御信号ＳａがＬレベルとＨレベル間で切り換わるときの電圧変化の勾配を緩和する機能を有している。ＦＥＴ９５のドレン端子に接続された配線１２４上に制限抵抗ＲＬが設けられている。
【００５２】
一方、第２制御回路９２は、コントローラー５０からの第２制御信号Ｓｎにより制御され、電源回路５３から供給された電源電圧Ｖ１の電力のヘッド制御回路５１への供給及びその供給の停止を制御する。第２制御回路９２は、第１制御回路９１において制限抵抗ＲＬを取り除いた回路構成を有し、分圧用の第１抵抗Ｒ１及び第２抵抗Ｒ２と、コンデンサーＣ１とＦＥＴ９６とを備える。ＦＥＴ９６のドレン端子に接続された配線１２５は、第１制御回路９１の制限抵抗ＲＬよりも下流側の位置で配線１２４と接続された配線１２６に接続されている。第２制御回路９２は、電源投入時点から第１制御回路９１が制限された電流の下で電力を供給する間は電力の供給は行わず、供給電圧Ｖｒの監視の結果、電力供給が正常であれば、第１制御回路９１に切り換えて、電流値が制限されていない電源電圧Ｖ１の電力をヘッド制御回路５１へ供給する。
【００５３】
図５に示すコントローラー５０は、第１制御回路９１を制御する第１制御信号Ｓａと、第２制御回路９２を制御する第２制御信号Ｓｎとの信号レベル（ＬレベルとＨレベル）を切り換えることによって、第１制御回路９１と第２制御回路９２とのうち動作させる一方を選択する。
【００５４】
図５に示すように、第１制御信号ＳａがＨレベルのとき、抵抗Ｒ１，Ｒ２によって分圧された相対的に小さな電圧がＦＥＴ９５のゲート端子に入力され、ＦＥＴ９５はＯＦＦする。次に第１制御信号ＳａがＨレベルからＬレベルに切り換わると、抵抗Ｒ１，Ｒ２によって分圧された相対的に大きな電圧がＦＥＴ９５のゲート端子に入力され、ＦＥＴ９５はＯＮする。ＦＥＴ９５がＯＮすると、電源回路５３からの電源電圧Ｖ１の電力が、制限抵抗ＲＬを介して電流値制限された状態の下でヘッド制御回路５１へ供給される。
【００５５】
一方、第２制御回路９２では、第２制御信号ＳｎがＨレベルのとき、抵抗Ｒ１，Ｒ２によって分圧された相対的に小さな電圧がＦＥＴ９６のゲート端子に入力され、ＦＥＴ９６はＯＦＦする。次に第２制御信号ＳｎがＨレベルからＬレベルに切り換わると、抵抗Ｒ１，Ｒ２によって分圧された相対的に大きな電圧がＦＥＴ９６のゲート端子に入力され、ＦＥＴ９６はＯＮする。ＦＥＴ９６がＯＮすると、電源回路５３からの電源電圧Ｖ１の電力が、電流値制限されることなく、ヘッド制御回路５１へ供給される。
【００５６】
また、図５に示すように、検出回路９３は、電源制御回路５４とコンデンサー６３とを接続する電源線１０２及び電源用配線１０３上に印加された供給電圧Ｖｒを計測し、その計測した供給電圧Ｖｒを監視して、電力供給が正常であるか短絡等の異常であるかを検出する。電源線１０２に接続された配線１２４から分岐する電源配線１２６には、第２制御回路９２の出力用の配線１２５との接続箇所よりも接地側の位置の途中に分圧用の２つの抵抗Ｒ３，Ｒ４が設けられている。また、検出回路９３は、２つの抵抗Ｒ３，Ｒ４により供給電圧Ｖｒを分圧することによって計測される計測電圧Ｖｄと基準電圧Ｖｃとを入力して、両入力値の比較結果を出力する比較器９７を備える。比較器９７は、プラス側入力端子から計測電圧Ｖｄを入力し、マイナス側入力端子から基準電圧Ｖｃ（以下「閾値Ｖｃ」ともいう。）を入力する。閾値Ｖｃには、例えば電圧Ｖ３を不図示の２つの抵抗によって分圧した電圧が用いられる。本実施形態では、供給電圧Ｖｒを分圧する２つの抵抗Ｒ３，Ｒ４により、供給電圧Ｖｒを計測する計測回路９８が構成される。
【００５７】
比較器９７は、計測電圧Ｖｄが閾値Ｖｃ以下であるときに、その出力端子からＬレベルの検出信号Ｓｄを出力し、計測電圧Ｖｄが閾値Ｖｃを超えているときに、その出力端子からＨレベルの検出信号Ｓｄを出力する。検出信号Ｓｄは、電源制御回路５４から信号線１１３を通ってコントローラー５０に入力される。コントローラー５０内では、入力した検出信号ＳｄはＡ／Ｄ変換器８６を介してデジタル信号に変換された後、コンピューター８１に入力される。
【００５８】
また、電源制御回路５４内における第２電源制御回路〜第Ｍ電源制御回路５４Ｍについても、第１電源制御回路５４１と同様に、第１制御回路９１、第２制御回路９２及び検出回路９３を含む回路構成を有する。そして、コントローラー５０は、第２電源制御回路〜第Ｍ電源制御回路５４Ｍに対しても、第１制御信号Ｓａと第２制御信号Ｓｎとに基づいて、電源投入時の初期は、第１制御回路９１により電流値が制限された状態の下で電力を供給すると共に、その供給先の供給電圧Ｖｒを最長で待機時間Ｔｗに亘って監視する。この監視モードにおいて検出信号Ｓｄに基づき電力供給が正常である旨が検出されれば、コントローラー５０は第２制御回路９２による電流値制限なしの電力供給に切り換える。一方、検出信号Ｓｄに基づき短絡等の異常の旨が検出されれば、コントローラー５０は電源制御回路５４による電力供給を強制的に停止させる。
【００５９】
次に図６及び図７を参照して、コントローラー５０及び電源制御回路５４による電源制御について、正常時と異常時（例えば短絡時）とに分けて説明する。
図６に示すように、電源投入前は、第１制御信号Ｓａ及び第２制御信号Ｓｎは、共にＨレベルであって、スイッチとして機能するＦＥＴ９５，９６は共にＯＦＦとなっている。この電力供給開始前の時点では、供給電圧Ｖｒ＝０Ｖとなっている。そのため、検出信号Ｓｄは異常の旨の値であるＬレベルを示す。そして、第１制御信号ＳａがＬレベルからＨレベルに切り換わってＦＥＴ９５がＯＮすると、電力供給が開始される。
【００６０】
図６に示す正常時は、制限抵抗ＲＬ（図５参照）による制限電流ＩＬによってコンデンサー６３がゆっくり充電されるので、供給電圧Ｖｒが図６に示すように徐々に上昇し、目標電圧Ｖ１に到達する。この供給電圧Ｖｒが上昇する過程で、供給電圧Ｖｒが閾値Ｖｃを超えると、それまで異常の旨を示すＬレベルであった検出信号Ｓｄが、Ｈレベルに切り換わる。つまり、正常時は、電力供給開始時点から計時を開始したタイマー８４（図５参照）の計時時間Ｔが待機時間Ｔｗに達するまでに、供給電圧Ｖｒが閾値Ｖｃを超えることとなって、その時点で検出信号Ｓｄが正常な旨のＨレベルに切り換わる。
【００６１】
ここで、待機時間Ｔｗは、次のように設定する。例えばヒューズ６２の定格電流を１Ａ、ヒューズ６７の定格電流を０．５Ａとする。待機時間Ｔｗは、複数のヒューズ６２，６７のうち定格電流の一番小さいもの（この例では０．５Ａ）に合わせて設定する。ヒューズ６７の溶断時間は、通電電流が定格電流０．５Ａに等しいときに約４時間、１Ａのときに約１２０秒、２．５Ａのときに約５秒である。
【００６２】
ここで、制限電流ＩＬを小さく制限し過ぎると、コンデンサー６３の充電時間が長くなるため、制限電流ＩＬを、定格電流を超えないぎりぎり値に設定できる抵抗値Ｒを制限抵抗ＲＬに設定している。
【００６３】
閾値Ｖｃ及び待機時間Ｔｗの決め方を以下に説明する。制限電流ＩＬの最大値が、ヒューズ６７の定格電流Ｉｆに対して７０％〜１００％の範囲内に設定できる抵抗値Ｒを制限抵抗ＲＬに設定する。なお、制限電流ＩＬの最大値は、Ｖ１／Ｒで表わされる。
【００６４】
電源投入時の電力供給開始時点からの経過時間を時間ｔとおくと、１つのコンデンサー６３について、電圧Ｖ（ｔ）と電流Ｉ（ｔ）（つまり制限電流ＩＬ）は、以下の(1)，(2)式により表わされる。
Ｖ（ｔ）＝Ｖ１＊（１−ｅ＾−（ｔ／ＲＣ））…(1)
Ｉ（ｔ）＝Ｅ＊ｅ＾−（ｔ／ＲＣ）／Ｒ…(2)
ここで、Ｖ１は電源電圧、Ｒは制限抵抗ＲＬの抵抗値、Ｃはコンデンサー６３の容量、Ｅはｔ＝０におけるコンデンサー６３の両端子間の電圧であり、例えば出荷前検査における電源投入時（ｔ＝０）は０（零）Ｖである。また、「ｅ」は自然対数の底である。なお、上記(1)，(2)式において、記号「＊」は乗算演算子、記号「＾」はべき乗演算子である。
【００６５】
制限電流ＩＬは、電源投入直後の最初は最大値で流れ、コンデンサー６３の充電が進むに連れて徐々に電流値が低下し、コンデンサー６３の充電が終わると、０（零）Ａになる。コンデンサー６３の正極端子の電位（充電電圧）に等しい供給電圧Ｖｒは、図６のグラフに示すように、電力供給開始時点（ｔ＝０）から最初のうちは比較的大きな勾配で上昇し、供給電圧Ｖｒが大きくなるに連れて制限電流ＩＬが徐々に減少するので、勾配が次第に緩やかになり、供給電圧Ｖｒが零から電圧Ｖ１に達するまでに所要時間Ｔｃを要する。
【００６６】
閾値Ｖｃは、短絡発生時には供給電圧Ｖｒが達しないと想定される電圧値のうちの最低電圧値もしくはこの最低電圧値に所定のマージンを加えた値に設定される。そして、正常時に電力供給開始時点から、供給電圧Ｖｒがこの閾値Ｖｃに達するまでの所要時間に所定のマージンを加えた値を、コンデンサー６３の電圧が閾値Ｖｃに達するためにコンデンサー１個当たりに必要な待機時間Ｔｗ１としている。
【００６７】
例えばＶ１＝４２Ｖ、Ｒ＝１００Ω、Ｃ＝２０００μＦとし、突入時の制限電流ＩＬの最大値（＝Ｖ１／Ｒ）を４２０ｍＡ（定格電流０．５Ａの８４％）とした例を考える。コンデンサー６３を１個とした場合、この１個のコンデンサー６３に電源電圧Ｖ１（例えば４２Ｖ）まで充電される所要時間Ｔｃは、Ｔｃ＝４．６秒になる。この所要時間Ｔｃまで待つと、コンデンサー６３の充電時間が長くなるので、短絡時の電圧が例えば所定時間（例えば１秒）以内に達し得ない最低電圧値もしくはこの最低電圧値に所定のマージンを加えた電圧値を閾値Ｖｃに設定する。閾値Ｖｃは、電源電圧Ｖ１の例えば２０〜８０％の範囲内の値が好ましい。この例では、閾値Ｖｃを約１４Ｖ（＝Ｖ１／３で約３３％）としたときに、この閾値Ｖｃに達するまでの所要時間Ｔａは約８０ミリ秒であり、この値に所定のマージン（一例として７０ミリ秒）を加えて、待機時間Ｔｗ１を例えば１５０ミリ秒に設定する。待機時間Ｔｗ１は、コンデンサー６３の充電時間を短くするうえで、例えば２０ミリ秒〜３００ミリ秒の範囲内の値が好ましく、特に５０〜２００ミリ秒の範囲内の値がより好ましい。
【００６８】
そして、図５に示す例では、検出回路９３を構成する計測回路９８の個数「Ｍ」とヘッド駆動制御回路（つまり印刷ヘッド４２）の個数「Ｎ」（但しＭ，Ｎは自然数）との関係から、１つの計測回路９８は、Ｎ／Ｍ個（図５の例では２個）のコンデンサー６３が充電される過程における供給電圧Ｖｒを計測する。このため、待機時間Ｔｗは、Ｔｗ１×Ｎ／Ｍで表わされる。本例では、待機時間Ｔｗは、１秒以内の比較的短い値に設定されている。なお、コンデンサー１個当たりの待機時間Ｔｗ１は、電源制御回路５４における上記の値Ｖ１，Ｒ，Ｃ，Ｉｆに応じて適宜な値を設定でき、２０ミリ秒未満の値や１秒を超える値を設定することもできる。また、待機時間Ｔｗの設定方法は、所要時間ＴａにＮ／Ｍを乗じた値に、所定のマージンを加えた値を待機時間Ｔｗとする方法でもよい。
【００６９】
一方、図７に示す短絡等の異常時は、制限抵抗ＲＬ（図５参照）によって制限された電流ＩＬでコンデンサー６３が充電されるものの、短絡等の異常が原因で電流がグランドに漏れていると、供給電圧Ｖｒが図７に示すように非常に緩やかに上昇し、待機時間Ｔｗを経過しても、供給電圧Ｖｒが閾値Ｖｃに到達しない。コントローラー５０は、計測回路９８で計測された計測電圧Ｖｄが正常電圧（例えば閾値Ｖｃ）よりも小さい電圧で正常時よりも電圧の上昇が抑制された場合に異常とする。つまり、コントローラー５０は、計測電圧Ｖｄが閾値Ｖｃ以下の小さな電圧値をとった状態で、正常時よりも電圧の上昇が抑制されたために、そのまま待機時間Ｔｗを経過した場合を、異常とする。
【００７０】
そのため、検出回路９３の検出信号Ｓｄは、待機時間Ｔｗを経過しても、それまでの異常の旨を示すＬレベルのままとなる。つまり、短絡等の異常時は、電力供給開始時点に計時を開始したタイマー８４（図５参照）の計時時間Ｔが待機時間Ｔｗに達しても、検出信号Ｓｄは、異常の旨を示すＬレベルのままである。この場合、コントローラー５０によって第１制御信号ＳａがＬレベルからＨレベルに切り換えられ、ＦＥＴ９５がＯＦＦすることで、電力供給は強制的に停止される。
【００７１】
次に、複合機１１の作用を説明する。
出荷前検査で検査員が複合機１１の電源を投入すると、コンピューター８１は、図８にフローチャートで示されるプログラムＰＲを実行する。複合機１１は、印刷装置２１に電力を供給する印刷系の電源制御回路と、画像読取装置３１に電力を供給するスキャナー系の電源制御回路とを備える。印刷系とスキャナー系の各電源制御回路は、構成及び機能が基本的に同じなので、以下では、印刷系の電源制御回路におけるコンピューター８１が行う電源制御処理について説明する。なお、電源投入時は、コンピューター８１の制御部８３が出力する第１制御信号Ｓａと第２制御信号Ｓｎは共にＯＦＦ（Ｈレベル）状態にある。
【００７２】
まずステップＳ１１では、印刷ヘッドの個数に応じた待機時間Ｔｗを設定する。コンピューター８１の制御部８３は、印刷ヘッド４２と電気的に接続されている接続信号に基づいて印刷ヘッド４２の個数を検出し、印刷ヘッド４２の個数に応じた待機時間Ｔｗを設定する。例えばメモリー８２には、印刷ヘッド４２の個数（つまりこの個数に比例するコンデンサー６３の個数）と、待機時間Ｔｗとの対応関係を示すテーブルデータが記憶されている。制御部８３は、取得した印刷ヘッド４２（又はコンデンサー６３）の個数を基に、テーブルデータを参照してその個数に応じた待機時間Ｔｗを取得し設定する。なお、メモリー８２に機種に応じた印刷ヘッド４２の個数情報又はコンデンサー６３の個数情報を予め記憶させておき、メモリー８２から読み出すことで個数情報を取得してもよい。
【００７３】
ステップＳ１２では、第１制御回路９１により電流を制限して電力供給を開始する。すなわち、コンピューター８１の制御部８３は、第１制御信号ＳａをＨレベルからＬレベルに切り換えて突入防止用の第１制御回路９１内のＦＥＴ９５をＯＮさせることで、制限抵抗ＲＬにより制限された電流の下で電源電力をヘッド制御回路５１内の第１〜第Ｎヘッド駆動制御回路５１１〜５１Ｎへ供給する。
【００７４】
ステップＳ１３では、計時を開始する。すなわち、制御部８３は、電源投入による電源制御回路５４を介したヘッド制御回路５１への電源電力の供給開始とほぼ同時に、タイマー８４による計時を開始させる。
【００７５】
ステップＳ１４では、検出信号は正常であるか否かを判定する。計測回路９８により計測した供給電圧Ｖｒ（計測電圧Ｖｄ）が閾値Ｖｃ以下であるうちは異常の旨（例えばＬレベル）の検出信号Ｓｄが入力され、供給電圧Ｖｒ（計測電圧Ｖｄ）が閾値Ｖｃを超えると、正常の旨の値（例えばＨレベル）の検出信号Ｓｄが入力される。判定部８５は、検出信号Ｓｄが正常な旨の値であれば、電力供給が正常に行われていると判定し、異常な旨の値（例えばＬレベル）であれば電力供給が異常であると判定する。検出信号Ｓｄが異常であればステップＳ１５に進み、正常であればステップＳ１６へ進む。なお、本実施形態では、ステップＳ１４において計測回路９８が供給電圧Ｖｒを計測する処理が、計測ステップの一例に相当する。
【００７６】
ステップＳ１５では、待機時間Ｔｗを経過したか否かを判定する。待機時間Ｔｗを経過していなければステップＳ１４に戻る。そして、待機時間Ｔｗを経過するか（Ｓ１５で肯定判定）、検出信号Ｓｄが正常（Ｓ１４で肯定判定）になるまで、ステップＳ１４，Ｓ１５の各処理を繰り返す。例えば正常時は、図６に示すように、待機時間Ｔｗを経過する前に、計測された供給電圧Ｖｒが閾値Ｖｃを超えることになり、検出信号Ｓｄが異常の旨の値（Ｌレベル）から正常の旨の値（Ｈレベル）に切り替わる。一方、短絡等の異常時は、計測された供給電圧Ｖｒが閾値Ｖｃ以下の状態のまま待機時間Ｔｗを経過することになる。つまり、検出信号Ｓｄが異常の旨の値のまま待機時間Ｔｗを経過する。なお、ステップＳ１４，Ｓ１５の処理に替え、常に待機時間Ｔｗを経過するのを待って、待機時間Ｔｗを経過した時点で検出信号Ｓｄが正常であるか異常であるかを判定する処理を行ってもよい。なお、本実施形態では、ステップＳ１２〜Ｓ１５の処理において制限された電流の下で電力を供給している処理が、電気供給ステップの一例に相当する。また、ステップＳ１４及びステップＳ１５の処理において、計測した供給電圧Ｖｒが閾値Ｖｃ以下である状態のまま待機時間Ｔｗを経過したことをもって異常とし、待機時間Ｔｗを経過するまでの間に計測した供給電圧Ｖｒが閾値Ｖｃを超えたことをもって正常とする処理が、検出ステップの一例に相当する。
【００７７】
ステップＳ１６では、第１制御回路から第２制御回路へ切り換えて電流制限なしで電力を供給する。すなわち、制御部８３は、第２制御信号ＳｎをＨレベルからＬレベルに切り換えることで、第２制御回路９２内のＦＥＴ９６をＯＦＦからＯＮに切り換え、次に少しの微小時間を待って第１制御信号ＳａをＬレベルからＨレベルに切り換えることで、第１制御回路９１内のＦＥＴ９５をＯＮからＯＦＦに切り換える。この結果、第２制御回路９２による電流値制限なしの電力供給が先に開始された後、次に第１制御回路９１による電流値制限の下での電力供給が停止される。よって、電力供給が切り換え時に一瞬途切れたり電流値が一瞬降下したりする現象を伴わず、電流値制限の下での電力供給から、電流値制限なしの電力供給に切り換えられる。このように遅くとも待機時間Ｔｗ（一例として１５０ミリ秒）を経過するまでに切り換えられるので、電源投入後、コンデンサー６３は速やかに充電される。
【００７８】
ステップＳ１７では、電源制御回路５４による電力供給を停止させる。すなわち、制御部８３は、電力供給開始時点から待機時間Ｔｗが経過しても、計測された供給電圧Ｖｒが閾値Ｖｃ以下であって検出信号Ｓｄが異常の旨の値のままである場合は、短絡等の異常であるものとして、電源制御回路５４による電力供給を強制的に停止させる。なお、本実施形態では、ステップＳ１６及びステップＳ１７の処理が、制御ステップの一例に相当する。
【００７９】
ステップＳ１８では、エラーメッセージを表示する。制御部８３は、異常の旨の値の検出信号Ｓｄに対応するグループの位置特定情報を含むエラーメッセージを表示部１４に表示する。この結果、検査員は、エラーメッセージ中の位置特定情報から異常個所を１つのグループに絞ることができるので、異常の箇所及びその原因を早期に特定することができる。すなわち、制御部８３は、第１〜第Ｍ電源制御回路５４１〜５４Ｍのうち異常の旨の値の検出信号Ｓｄの出力元の電源制御回路を含むグループを特定して短絡等の異常を検出し、その検出したグループを異常箇所として特定する位置特定情報と共にエラーメッセージを表示部１４に表示させる。例えば出荷前検査で電源を投入して実際に印刷する印刷テストを行う場合、印刷ヘッド４２がインクを吐出できない吐出異常が発生した際に、エラーメッセージと共に異常箇所のグループを特定して短絡等の異常の旨が表示されるため、短絡等の異常箇所を特定することができる。よって、異常発生時にその原因がヘッド駆動制御回路５１１〜５１Ｎの異常やコネクターの接続ミスに起因する短絡等の異常なのか、それ以外の印刷ヘッド４２のノズル目詰まり等の異常なのかを特定できる。その結果、ヘッド制御回路５１（ヘッド制御基板６０）と印刷ヘッド４２との両方を交換する必要がなくなる。
【００８０】
また、図３に示す画像読取装置３１についても、同様に電源制御回路５４によって、電源投入時の初期に制限電流値の下で電力供給が行われ、待機時間Ｔｗを経過する前に供給電圧Ｖｒが閾値Ｖｃを超えて電力供給が正常であれば、電流値制限なしの電力供給に切り換わる。一方、待機時間Ｔｗを経過しても、供給電圧Ｖｒが閾値Ｖｃ以下のままであれば、電力供給が異常であると判断し、スキャナー制御回路５５への電力供給を強制的に停止させる。なお、印刷装置２１と画像読取装置３１との間で、閾値Ｖｃと待機時間Ｔｗとのうち少なくとも一方を異なる値に設定してもよい。
【００８１】
以上詳述した第１実施形態によれば、以下に示す効果を得ることができる。
（１）複合機１１は、制限された電流で電力を供給する電源制御回路５４と、電源制御回路５４の下流に設けられたコンデンサー６３と、コンデンサー６３に接続され、電源制御回路５４から供給された電力で機能を発揮する機能部の一例としてのヘッド制御回路５１及び印刷ヘッド４２とを備える。さらに複合機１１は、制限された電流で電力を供給する電源制御回路５４と、電源制御回路５４の下流に設けられたコンデンサー６３と、コンデンサー６３に接続され、電源制御回路５４から供給された電力で機能を発揮する機能部の一例としてのスキャナー制御回路５５及び電動モーター３９，４０とを備える。そして、電源制御回路５４は、供給電圧Ｖｒを計測する計測回路９８と、電源制御回路５４による電力供給開始後に、計測回路９８で計測された供給電圧Ｖｒ（計測電圧Ｖｄ）が正常電圧よりも小さい電圧で正常時よりも電圧の上昇が抑制された場合に異常とするコントローラー５０とを備える。そして、コントローラー５０は、電源制御回路５４の電力供給開始後に、計測回路９８で計測された電圧が正常電圧よりも小さい電圧で正常時よりも電圧の上昇が抑制された場合に異常とすると、電力供給を停止する。よって、短絡等の異常時に電源制御回路５４からの電源電力の供給先であるヘッド制御回路５１及び印刷ヘッド４２、あるいはスキャナー制御回路５５及び電動モーター３９，４０に過度な電流が流れることを回避することができる。
【００８２】
（２）コントローラー５０は、計測回路９８で計測された電圧Ｖｒ（計測電圧Ｖｄ）が閾値Ｖｃ以下のまま、待機時間Ｔｗを経過すると、異常とする。例えば電力供給開始直後の早過ぎるタイミングで電圧を計測したことが原因で、正常であるにも拘らず電圧Ｖｒが閾値Ｖｃ以下であることをもって異常とされてしまう検出ミスが発生する虞がある。しかし、閾値Ｖｃ以下の状態が待機時間Ｔｗ継続したことを異常の条件とするので、異常を正しく検出することができる。
【００８３】
（３）検出回路９３は、電源制御回路５４とコンデンサー６３との間の供給電圧Ｖｒを分圧して供給電圧Ｖｒに比例する計測電圧Ｖｄを計測する計測回路９８と、その計測電圧Ｖｄが閾値Ｖｃを超えると、異常の旨の値から正常の旨の値へ検出信号Ｓｄを切り換える比較器９７を備える。そして、コントローラー５０は、比較器９７からの計測電圧Ｖｄが閾値Ｖｃ以下である異常の旨の値（Ｌレベル）の検出信号Ｓｄを入力したまま待機時間Ｔｗを経過すると、異常とする。よって、コントローラー５０は、比較器９７から入力した検出信号Ｓｄの信号値から、電力供給が正常であるか異常であるかを簡単に検出できる。
【００８４】
（４）コントローラー５０は、電源投入時点から待機時間Ｔｗの監視の結果、異常を検出したときは、電源制御回路５４による電力供給を強制的に停止させる。よって、短絡等の異常時に電源制御回路５４の供給先であるヘッド制御回路５１に電流が流れ続けることを回避できる。従って、ヘッド制御回路５１におけるヒューズ６２の溶断を一層回避し易くなる。
【００８５】
（５）電源制御回路５４は電流値制限の下で電力を供給する第１制御回路９１と、電流値制限なしで電力を供給する第２制御回路９２とを備える。コントローラー５０は、電流値制限の下で電力を供給しつつ供給電圧Ｖｒを監視した結果、電力供給が正常であれば、印刷ヘッド４２への電力供給元を第１制御回路９１から第２制御回路９２に切り換える。よって、正常時は、電流値制限なしでコンデンサー６３に速やかに充電することができるため、機能部の一例であるヘッド制御回路５１及び印刷ヘッド４２に安定に電力を供給することができる。
【００８６】
（６）印刷ヘッド４２の個数に比例した数のコンデンサー６３を設けている。コントローラー５０は、電源制御回路５４の電力供給先である印刷ヘッド４２の個数に比例したコンデンサー６３の数に応じて待機時間Ｔｗを設定している。よって、印刷ヘッド４２が複数ある構成において、短絡等の異常を比較的正しく検出することができる。
【００８７】
（７）機種ごとに印刷ヘッド４２の個数又はコンデンサー６３の個数が異なる機種に応じて待機時間Ｔｗを変更する。よって、機種に応じて電力供給の異常をより正しく検出することができる。従って、機種が異なってもヘッド制御回路５１等を適切に保護することができる。
【００８８】
（８）電源制御回路５４は、内蔵するＭ個の第１〜第Ｍ電源制御回路５４１〜５４Ｍが各々有するＭ個の検出回路９３ごとに、Ｎ個の駆動信号生成回路及びヘッド制御回路５１をＭ個にグループ分けし、Ｍ個の検出回路９３によってグループごとに個別に供給電圧Ｖｒを監視する。そして、１つのグループでも待機時間Ｔｗ以内に供給電圧Ｖｒが閾値Ｖｃを超えなければ、短絡等の異常として電力供給を強制的に停止させる。よって、異常の旨の値の検出信号Ｓｄの出力元の検出回路９３を特定することで、ヘッド制御回路５１を複数に分けたグループ（回路群）のうち異常が発生したグループを特定することができる。特に異常の場合は、表示部１４にエラーメッセージと共に短絡等の異常のあったグループを特定する位置特定情報を表示するので、異常箇所を比較的簡単に特定することができる。
【００８９】
（９）印刷装置２１と画像読取装置３１とで個別に電源制御回路５４を設けたので、これらの各装置２１，３１のうち一方に対応する電源制御回路５４が短絡等の異常で強制的に停止させても、他方の装置が正常であれば、その正常な他方の装置を動作させることができる。例えば複数の装置間で電源制御回路を共通に設けた構成では、異常発生時に電力供給を停止させると、印刷装置も画像読取装置も使用できなくなる。しかし、本実施形態では、例えば印刷装置２１が短絡等の異常で停止しても、画像読取装置３１を使用でき、逆に画像読取装置３１が短絡等の異常で停止しても、印刷装置２１を使用することができる。このため、ユーザーの利便性が高まる。
【００９０】
（第２実施形態）
次に図９を参照して、第２実施形態について説明する。前記第１実施形態では、比較器９７が正常か異常かを２値で示す検出信号をコントローラー５０に出力する構成としたが、供給電圧Ｖｒを計測した計測電圧Ｖｄをコントローラー５０に出力する構成としている。なお、コントローラー５０内のコンピューター８１が実行する図８のプログラムＰＲは基本的に同じであって、検出信号ＳｄがＬレベルかＨレベルかで判定する判定処理に替えて、供給電圧Ｖｒを計測した計測電圧Ｖｄを信号値にもつ検出信号Ｓｖに基づき判定処理を行う点が異なる。
【００９１】
図９に示すように、供給電圧Ｖｒが抵抗Ｒ３，Ｒ４によって分圧された計測電圧Ｖｄを計測し、その計測電圧Ｖｄを信号値とする検出信号Ｓｖがコントローラー５０に入力される。コントローラー５０内では、検出信号ＳｖはＡ／Ｄ変換器８６を介してデジタル信号に変換された後にコンピューター８１に入力される。コンピューター８１の判定部８５は、検出信号Ｓｖの信号値（計測電圧Ｖｄ）に基づいて、電力供給が正常であるか異常であるかを判定する。
【００９２】
１つの判定方法（第１の判定）として、検出信号Ｓｖの信号値（計測電圧Ｖｄ）が閾値Ｖｃを超えたか否かを判定する。検出信号Ｓｖの信号値が閾値Ｖｃを超えていなければ異常であると判定し（Ｓ１４で否定判定）、閾値Ｖｃを超えていれば正常であると判定する（Ｓ１４で肯定判定）。他の１つの判定方法（第２の判定）として、電気供給開始後の閾値時間以内に、検出信号Ｓｖの信号値の立ち上がり勾配（電圧上昇率）が勾配閾値以下になったか否かを判定する。閾値時間以内に立ち上がり勾配が勾配閾値以下になっていれば異常であると判定し（Ｓ１４で肯定判定）、閾値時間以内に立ち上がり勾配が勾配閾値以下になっていなければ正常であると判定する（Ｓ１４で否定判定）。正常時は、閾値時間を経過するまでは、供給電圧Ｖｒは、勾配閾値よりも大きな立ち上がり勾配で上昇する。一方、異常時は、閾値時間を経過するまでに、供給電圧Ｖｒの立ち上がり勾配が一度も勾配閾値を超えない場合や、供給電圧Ｖｒの立ち上がり勾配が、仮に一時的に勾配閾値を超えたとしても、閾値時間を経過するまでに勾配閾値以下の値へと変化する場合などがある。前者の場合、ステップＳ１５における待機時間Ｔｗに閾値時間を設定すればよい。一方、後者の場合は、第２の判定を行うタイミングを、電気供給開始から閾値時間を経過した時点のみに行ってもよい。ここで、立ち上がり勾配は、単位時間当たりの供給電圧Ｖｒの電圧上昇分を逐次計算して取得する。
【００９３】
なお、立ち上がり勾配は、計測回路１個当たりのコンデンサー６３の個数に応じて変化する値なので、勾配閾値には、計測回路１個当たりのコンデンサー６３の個数に応じた値が設定される。また、閾値時間は、計測回路１個当たりのコンデンサー６３の個数に応じて決まる時間であり、正常時に供給電圧Ｖｒが目標電圧Ｖ１に到達するまでの時間よりも短い時間に設定する。特に正常時に電圧の立ち上がり勾配が勾配閾値に到達するまでの時間よりも短い時間に設定することが好ましい。
【００９４】
さらに他の方法として、検出信号Ｓｖに基づき供給電圧Ｖｒが閾値Ｖｃを超えたか否かを判定する第１の判定と、電気供給開始後の閾値時間以内に供給電圧Ｖｒの立ち上がり勾配が勾配閾値以下になったか否かを判定する第２の判定との両方を採用する。この例では、第１の判定と第２の判定との両方が正常であることをもって正常とする第１の例と、第１の判定と第２の判定とのうち少なくとも一方が正常であることをもって正常とする第２の例とのうちどちらか一方を採用すればよい。
【００９５】
ステップＳ１４の判定で正常でなければ、待機時間Ｔｗを経過するまで待って（Ｓ１５）、待機時間Ｔｗを経過する前に正常となれば（第１の判定では肯定判定、第２の判定では否定判定）、第１制御回路９１から第２制御回路９２へ切り換えて電流制限なしで通常の電力供給を行う（Ｓ１６）。一方、ステップＳ１４において検出信号Ｓｖに基づく判定結果が一度も正常になることなく待機時間Ｔｗを経過すると（Ｓ１５で肯定判定）、電力供給を強制的に停止させ（Ｓ１７）、エラーメッセージを表示部１４に表示させる（Ｓ１８）。
【００９６】
以上詳述した第２実施形態によれば、第１実施形態で述べた前記（１）〜（９）の効果を同様に得られる他、以下に示す効果が更に得られる。
（９）供給電圧Ｖｒを計測した計測電圧Ｖｄを信号値に有する検出信号Ｓｖなので、検出信号Ｓｖの信号値に基づいて供給電圧Ｖｒが閾値Ｖｃを超えたか否かを判定する第１の判定を採用したり、供給電圧Ｖｒの立ち上がり勾配が勾配閾値を超えたか否かを判定する第２の判定を採用したりすることができる。例えば第１の判定と第２の判定とを組み合わせることによって、より適切に電力供給が正常であるか異常であるかを判定でき、より適切にヘッド制御回路５１等を保護することができる。
【００９７】
（１０）第１の判定と第２の判定とを採用した場合、コントローラー５０は、計測回路９８により計測された電圧が閾値以下の状態で、かつ電圧の立ち上がり勾配が勾配閾値以下であると、異常とする。また、第２の判定方法を採用した場合、コントローラー５０は、電気供給開始後の閾値時間以内に、計測回路９８により計測された電圧に基づく立ち上がり勾配が勾配閾値以下であると、異常とする。そして、コントローラー５０は、短絡等の異常時に電源制御回路５４に電力供給を強制的に停止させるので、短絡等が原因で電源制御回路５４から供給先であるヘッド制御回路５１に過度な電流が流れる事態を回避することができる。例えば出荷前検査で短絡が発生しても、ヒューズ６２，６７の溶断を回避できる。
【００９８】
なお、上記実施形態は以下のような形態に変更することもできる。
・前記各実施形態において、制限抵抗ＲＬの抵抗値Ｒは、ヒューズ６２，６７の各定格電流のうち一番小さい定格電流よりも大きな電流を供給可能な値に設定してもよい。制限抵抗ＲＬを介してヒューズ６２，６７に各々の定格電流のうち一番小さい定格電流よりも大きな制限電流によってコンデンサー６３を比較的速やかに充電することができる。すなわち、電源投入時点から供給電圧Ｖｒが閾値Ｖｃを超えるまで待つ待機時間Ｔｗを相対的に短くし、電流値制限なしの下での電力供給へ早期に切り換えることができるので、その分、コンデンサー６３の充電時間を一層短縮することができる。
【００９９】
・前記各実施形態において、電源制御回路５４内のＭ個の第１電源制御回路５４１〜第Ｍ電源制御回路５４Ｍを１個とし、その１個と機能部（一例としてヘッド制御回路５１）とを１本の電源線１０２で接続し、Ｎ個の駆動信号生成回路６５をグループ分けすることなくヘッド制御回路５１の全体を監視してもよい。例えば第１電源制御回路５４１の１つだけとし、１本の電源線１０２に接続されたＮ個のコンデンサー６３の正極の電位で示される供給電圧Ｖｒを、一括で１つの検出回路９３によって検出してもよい。
【０１００】
・前記各実施形態において、電源制御回路５４は、印刷ヘッド４２の個数Ｎと同数のＮ個（つまりＭ＝Ｎ）の第１〜第Ｎ電源制御回路５４１〜５４Ｎを内蔵し、Ｎ個の印刷ヘッド４２及びそのヘッド駆動制御回路５１１〜５１Ｎについて１個ごと個別に供給電圧Ｖｒを監視してもよい。
【０１０１】
・前記実施形態において、電源制御回路５４内のＭ個の第１〜第Ｍ電源制御回路５４１〜５４Ｍを内蔵した場合、１つのグループに属する印刷ヘッド４２及びヘッド駆動制御回路の数は、適宜変更することができる。
【０１０２】
・前記実施形態では、電源制御回路５４は、１つの電源制御回路５４１を内蔵するだけの構成とすることもできる。この場合、異常箇所が属するグループは特定できなくなるが、短絡等の異常を検出してヒューズが溶断される前に電力の供給を強制的に停止させることができる。
【０１０３】
・待機時間Ｔｗを変更できる構成としたが、予め決められた待機時間Ｔｗのみメモリー８２に記憶しておき、待機時間Ｔｗは設定変更できない構成でもよい。
・電圧Ｖ１を供給する電源制御系ではなく、電圧Ｖ２の電源制御系の回路（例えばモーター系回路）に電源制御回路を設けてもよい。
【０１０４】
・機能部は、コネクターを介して配線によって互いに接続されたヘッド制御基板６０と印刷ヘッド４２との２部品で構成したが、３部品以上の複数部品で構成してもよいし、１部品で構成してもよい。例えばヘッド制御基板６０を印刷ヘッド４２又はヘッドユニットに組み込んで、機能部を１部品としてもよい。また、ヘッド制御基板６０をコントローラー５０内に組み込んで、機能部をコントローラー５０の一部（ヘッド制御基板６０）と印刷ヘッド４２とに分けて構成してもよい。
【０１０５】
・機能部の一例として、複合機又は印刷装置にフィニッシャーや給送装置を増設して使用される構成とすることが可能である。このように、装置を増設可能である場合、増設した装置の数（機能部の数）や増設した装置の種類（機能部の種類）に応じて、待機時間Ｔｗを変更してもよい。
【０１０６】
・印刷装置と画像読取装置とを電源線及び通信線を介して接続してシステムを構成し、印刷装置と画像読取装置とで電源回路を共通にするシステムにおいて、システムを構成する装置の数に応じて待機時間Ｔｗを変更してもよい。
【０１０７】
・電源制御回路５４を、印刷装置２１と画像読取装置３１との両方に適用したが、印刷装置２１のみ、又は画像読取装置３１のみに適用してもよい。
・電気機器の一例として複合機に適用したが、印刷機能を備えスキャン機能を備えない印刷装置、又は原稿読取り専用の画像読取装置（スキャナー装置）に適用してもよい。
【０１０８】
・複数の記録ヘッドを配列してなるマルチヘッドタイプに限定されず、媒体Ｐの搬送方向と交差する幅方向における印刷領域の全域に一定のピッチでノズルが配列されてなる１つの長尺状の印刷ヘッドを備えた構成でもよい。
【０１０９】
・前記各実施形態では、ラインプリンターに適用したが、印刷ヘッドが媒体の搬送方向と交差する主走査方向に移動する主走査と媒体の搬送による副走査とを略交互に行って媒体に印刷するシリアルプリンター、又は印刷ヘッドが主走査方向と副走査方向との両方に移動して媒体に印刷するラテラル式プリンターでもよい。
【０１１０】
・コントローラー５０が行う電源制御処理は、プログラムＰＲを実行するコンピューター８１によりソフトウェアで実現されたり、例えばＦＰＧＡ（field-programmable gate array）やＡＳＩＣ（Application Specific IC）等の電子回路によりハードウェアで実現されたり、ソフトウェアとハードウェアとの協働により実現されたりしてもよい。
【０１１１】
・電気機器は、複合機に限定されず、印刷装置、スキャナー装置、インクジェット式立体物成形装置、家電製品、映像機器など、モーター等のアクチュエーターを制御する駆動制御回路が、電源として供給された電力に基づき電荷を蓄積するコンデンサーを備えたものであればよい。
【符号の説明】
【０１１２】
１１…電気機器の一例としての複合機、１４…表示部、２１…印刷装置、３１…画像読取装置、３８…読取部、３９，４０…電動モーター、４２…機能部の一例を構成する印刷ヘッド、５０…制御部の一例としてのコントローラー、５１…機能部の一例を構成するヘッド制御回路、５１１〜５１Ｎ…機能部の一例を構成する第１〜第Ｎヘッド駆動制御回路、５２…交流電源、５３…電源回路、５４…電源制御回路、５４１〜５４Ｍ…第１〜第Ｍ電源制御回路、５５…スキャナー制御回路、６２，６７…ヒューズ、６３…コンデンサー、６５…駆動信号生成回路、７１…ヘッド駆動回路、７４…吐出駆動素子、８１…コンピューター、８２…メモリー、８３…制御部、８４…タイマー、８５…判定部、８６…Ａ／Ｄ変換器、９１…第１制御回路、９２…第２制御回路、９３…検出回路、９７…比較器、９８…計測回路、Ｐ…媒体、ＰＤ…印刷データ、ＰＲ…プログラム、ＳＩ…吐出データ、ＲＬ…制限抵抗、ＩＬ…制限電流、Ｉｆ…定格電流、Ｔｗ…待機時間、Ｓａ…第１制御信号、Ｓｎ…第２制御信号、Ｓｄ…検出信号、Ｒ３，Ｒ４…抵抗、Ｖｒ…供給電圧、Ｖｃ…閾値、Ｒ…抵抗値、Ｔｃ…所要時間。
【図１】
2017010405.tif 000003
【図２】
2017010405.tif 000004
【図３】
2017010405.tif 000005
【図４】
2017010405.tif 000006
【図５】
2017010405.tif 000007
【図６】
2017010405.tif 000008
【図７】
2017010405.tif 000009
【図８】
2017010405.tif 000010
【図９】
2017010405.tif 000011